(57)【特許請求の範囲】
【請求項１】
複数のエレベータのかごを群管理制御するエレベータの群管理制御装置において、
乗場呼びに対して、一の前記かごを割当かごとして割り当てる割当手段と、
前記割当手段により前記割当かごを割り当てた後の各エレベータの運転状況に基づいて、前記乗場呼びに対して、前記割当かごより適した他の一の前記かごを候補かごとして選定する候補かご選定手段と、
前記割当かごと前記候補かごとの平面距離に基づいて、前記乗場呼びに対して、前記割当かごから前記候補かごに割当変更するか否かを決定する割当変更決定手段と、を備え、
前記割当変更決定手段は、前記割当かごと前記候補かごとの平面距離が所定の平面距離以内である場合、前記割当かごから前記候補かごへの割当変更を決定し、前記割当かごと前記候補かごとの平面距離が当該所定の平面距離を超える場合、前記乗場呼びに対して、前記割当かごへの維持を決定することを特徴とするエレベータの群管理制御装置。
【請求項２】
各々の前記かごの間の平面距離に基づいて、前記割当かごから所定の平面距離以内に位置する前記かごを制限かごとして選定し、割当変更可能な前記かごを前記制限かごに制限する制限かご選定手段を更に備え、
前記割当変更決定手段は、前記候補かごが前記制限かごに含まれる場合、前記割当かごから前記候補かごへの割当変更を決定し、前記候補かごが前記制限かごに含まれない場合、前記乗場呼びに対して、前記割当かごへの維持を決定することを特徴とする請求項１に記載のエレベータの群管理制御装置。
【請求項３】
前記乗場呼びが、前記エレベータの乗場に設けられた一般用呼び登録装置により行われた一般用乗場呼びであるか、または、当該乗場に設けられた車椅子用呼び登録装置により行われた車椅子用乗場呼びであるかを認識する乗場呼び認識手段を更に備え、
前記割当変更決定手段は、前記乗場呼び認識手段により車椅子用乗場呼びが認識された場合、前記割当かごと前記候補かごとの平面距離に基づいて、前記割当かごから前記候補かごに割当変更するか否かを決定し、前記乗場呼び認識手段により一般用乗場呼びが認識された場合、前記割当かごと前記候補かごとの平面距離とは無関係に、前記割当かごから前記候補かごへの割当変更を決定することを特徴とする請求項１または２に記載のエレベータの群管理制御装置。
【請求項４】
前記候補かごが、前記乗場呼びが行われた前記エレベータの乗場に到着するまでの予測到着時間を計算する到着時間計算手段を更に備え、
前記割当変更決定手段は、前記到着時間計算手段により計算された前記候補かごの予測到着時間が所定時間以内である場合、前記割当かごと前記候補かごとの平面距離に基づいて、前記割当かごから前記候補かごに割当変更するか否かを決定し、前記候補かごの予測到着時間が所定時間を超える場合、前記割当かごと前記候補かごとの平面距離とは無関係に、前記割当かごから前記候補かごへの割当変更を決定することを特徴とする請求項１または２に記載のエレベータの群管理制御装置。
【請求項５】
前記割当かごに対応する乗場部分から前記候補かごに対応する乗場部分まで前記エレベータの利用者が移動する予測移動時間を計算する移動時間計算手段を更に備え、
前記割当変更決定手段は、前記到着時間計算手段により計算された前記候補かごの予測到着時間が、前記移動時間計算手段により計算された利用者の予測移動時間以内である場合、前記割当かごと前記候補かごとの平面距離に基づいて、前記割当かごから前記候補かごに割当変更するか否かを決定し、前記候補かごの予測到着時間が前記利用者の予測移動時間を超える場合、前記割当かごと前記候補かごとの平面距離とは無関係に、前記割当かごから前記候補かごへの割当変更を決定することを特徴とする請求項４に記載のエレベータの群管理制御装置。
【請求項６】
複数のエレベータのかごを群管理制御するエレベータの群管理制御装置において、
乗場呼びに対して、一の前記かごを割当かごとして割り当てる割当手段と、
前記割当手段により前記割当かごを割り当てた後の各エレベータの運転状況に基づいて、前記乗場呼びに対して、前記割当かごより適した他の一の前記かごを候補かごとして選定する候補かご選定手段と、
前記乗場呼びに対して、前記割当かごから前記候補かごに割当変更するか否かを決定する割当変更決定手段と、を備え、
複数の前記エレベータの前記かごは、前記エレベータの乗場の両側に配置されており、
前記割当変更決定手段は、前記候補かごが前記乗場に対して前記割当かごと同一の側に位置する場合、前記割当かごから前記候補かごへの割当変更を決定し、前記候補かごが前記乗場に対して前記割当かごの反対側に位置する場合、前記乗場呼びに対して、前記割当かごへの維持を決定することを特徴とするエレベータの群管理制御装置。
【請求項７】
前記乗場に対して前記割当かごと同一の側に位置する前記かごを制限かごとして選定し、割当変更可能な前記かごを前記制限かごに制限する制限かご選定手段を更に備え、
前記割当変更決定手段は、前記候補かごが前記制限かごに含まれる場合、前記割当かごから前記候補かごへの割当変更を決定し、前記候補かごが前記制限かごに含まれない場合、前記乗場呼びに対して、前記割当かごへの維持を決定することを特徴とする請求項６に記載のエレベータの群管理制御装置。
【発明の詳細な説明】
【技術分野】
【０００１】
本発明は、複数のエレベータのかごを群管理制御するエレベータの群管理制御装置に係り、とりわけ、エレベータの利用者の利便性を向上させることができるエレベータの群管理制御装置に関する。
【背景技術】
【０００２】
従来より、複数のエレベータのかごを群管理制御するエレベータの群管理制御装置が知られている（例えば、特許文献１および２参照）。この群管理制御装置の下では、エレベータ全体の運転効率を向上させるとともに、乗場で行われた乗場呼びに対して迅速にかごを応答させるために、乗場呼びに適したエレベータのかごを効率的に割り当てている。そして、乗場にいるエレベータの利用者には、どのかごが割り当てられたかが報知され、これにより、利用者は、事前に割り当てられたかごの近傍に移動できるようになっている。
【先行技術文献】
【特許文献】
【０００３】
【特許文献１】特開２００４−２２４５５６号公報
【特許文献２】特開２００２−３０２３４６号公報
【発明の概要】
【発明が解決しようとする課題】
【０００４】
ところで、群管理制御装置により制御されている各エレベータのかごは、乗場呼びに応答する一のかごが割り当てられた後であっても、かご内で登録される行き先階登録や、他の乗場で行われる乗場呼びへの応答等により、時間の経過とともに各エレベータの運転状況が変化する。このことにより、このエレベータの運転状況の変化に基づいて、最初の乗場呼びに応答すべき一のかごを、より適した他のかごに割当変更し、複数のエレベータ全体として運転効率を向上させるとともに、乗場呼びに対して迅速にかごを応答させるようにしている。
【０００５】
しかしながら、この場合、一旦割り当てられたかごに対して、割当変更されたかごの位置が遠い場合には、利用者の移動距離が長くなり、利用者の利便性を損なうという問題があった。また、この場合、利用者が、割当変更されたかごに乗り遅れるという問題もあった。このような問題は、特許文献１または２に示すエレベータの群管理制御装置においても起こり得る。
【０００６】
本発明は、このような点を考慮してなされたものであり、エレベータの利用者の利便性を向上させることができるエレベータの群管理制御装置を提供することを目的とする。
【課題を解決するための手段】
【０００７】
本発明は、複数のエレベータのかごを群管理制御するエレベータの群管理制御装置において、乗場呼びに対して、一の前記かごを割当かごとして割り当てる割当手段と、前記割当手段により前記割当かごを割り当てた後の各エレベータの運転状況に基づいて、前記乗場呼びに対して、前記割当かごより適した他の一の前記かごを候補かごとして選定する候補かご選定手段と、前記割当かごと前記候補かごとの平面距離に基づいて、前記乗場呼びに対して、前記割当かごから前記候補かごに割当変更するか否かを決定する割当変更決定手段と、を備え、前記割当変更決定手段は、前記割当かごと前記候補かごとの平面距離が所定の平面距離以内である場合、前記割当かごから前記候補かごへの割当変更を決定し、前記割当かごと前記候補かごとの平面距離が当該所定の平面距離を超える場合、前記乗場呼びに対して、前記割当かごへの維持を決定することを特徴とするエレベータの群管理制御装置を提供する。
【０００８】
なお、上述したエレベータの群管理制御装置においては、各々の前記かごの間の平面距離に基づいて、前記割当かごから所定の平面距離以内に位置する前記かごを制限かごとして選定し、割当変更可能な前記かごを前記制限かごに制限する制限かご選定手段を更に備え、前記割当変更決定手段は、前記候補かごが前記制限かごに含まれる場合、前記割当かごから前記候補かごへの割当変更を決定し、前記候補かごが前記制限かごに含まれない場合、前記乗場呼びに対して、前記割当かごへの維持を決定する、ことが好ましい。
【０００９】
また、上述したエレベータの群管理制御装置においては、前記乗場呼びが、前記エレベータの乗場に設けられた一般用呼び登録装置により行われた一般用乗場呼びであるか、または、当該乗場に設けられた車椅子用呼び登録装置により行われた車椅子用乗場呼びであるかを認識する乗場呼び認識手段を更に備え、前記割当変更決定手段は、前記乗場呼び認識手段により車椅子用乗場呼びが認識された場合、前記割当かごと前記候補かごとの平面距離に基づいて、前記割当かごから前記候補かごに割当変更するか否かを決定し、前記乗場呼び認識手段により一般用乗場呼びが認識された場合、前記割当かごと前記候補かごとの平面距離とは無関係に、前記割当かごから前記候補かごへの割当変更を決定する、ことが好ましい。
【００１０】
また、上述したエレベータの群管理制御装置においては、前記候補かごが、前記乗場呼びが行われた前記エレベータの乗場に到着するまでの予測到着時間を計算する到着時間計算手段を更に備え、前記割当変更決定手段は、前記到着時間計算手段により計算された前記候補かごの予測到着時間が所定時間以内である場合、前記割当かごと前記候補かごとの平面距離に基づいて、前記割当かごから前記候補かごに割当変更するか否かを決定し、前記候補かごの予測到着時間が所定時間を超える場合、前記割当かごと前記候補かごとの平面距離とは無関係に、前記割当かごから前記候補かごへの割当変更を決定する、ことが好ましい。
【００１１】
また、上述したエレベータの群管理制御装置においては、前記割当かごに対応する乗場部分から前記候補かごに対応する乗場部分まで前記エレベータの利用者が移動する予測移動時間を計算する移動時間計算手段を更に備え、前記割当変更決定手段は、前記到着時間計算手段により計算された前記候補かごの予測到着時間が、前記移動時間計算手段により計算された利用者の予測移動時間以内である場合、前記割当かごと前記候補かごとの平面距離に基づいて、前記割当かごから前記候補かごに割当変更するか否かを決定し、前記候補かごの予測到着時間が前記利用者の予測移動時間を超える場合、前記割当かごと前記候補かごとの平面距離とは無関係に、前記割当かごから前記候補かごへの割当変更を決定する、ことが好ましい。
【００１２】
また、本発明は、複数のエレベータのかごを群管理制御するエレベータの群管理制御装置において、乗場呼びに対して、一の前記かごを割当かごとして割り当てる割当手段と、前記割当手段により前記割当かごを割り当てた後の各エレベータの運転状況に基づいて、前記乗場呼びに対して、前記割当かごより適した他の一の前記かごを候補かごとして選定する候補かご選定手段と、前記乗場呼びに対して、前記割当かごから前記候補かごに割当変更するか否かを決定する割当変更決定手段と、を備え、複数の前記エレベータの前記かごは、前記エレベータの乗場の両側に配置されており、前記割当変更決定手段は、前記候補かごが前記乗場に対して前記割当かごと同一の側に位置する場合、前記割当かごから前記候補かごへの割当変更を決定し、前記候補かごが前記乗場に対して前記割当かごの反対側に位置する場合、前記乗場呼びに対して、前記割当かごへの維持を決定することを特徴とするエレベータの群管理制御装置を提供する。
【００１３】
なお、上述したエレベータの群管理制御装置においては、前記乗場に対して前記割当かごと同一の側に位置する前記かごを制限かごとして選定し、割当変更可能な前記かごを前記制限かごに制限する制限かご選定手段を更に備え、前記割当変更決定手段は、前記候補かごが前記制限かごに含まれる場合、前記割当かごから前記候補かごへの割当変更を決定し、前記候補かごが前記制限かごに含まれない場合、前記乗場呼びに対して、前記割当かごへの維持を決定する、ことが好ましい。
【発明の効果】
【００１４】
本発明によれば、割当かごが割り当てられた後のエレベータの運転状況に基づいて、乗場呼びに対して割当かごより適した他のかごが候補かごとして選定され、当該割当かごと当該候補かごとの平面距離が所定の平面距離以内である場合に、乗場呼びに応答すべきかごが、割当かごから候補かごに割当変更される。そして、当該平面距離が当該所定の平面距離を超える場合には、割当変更されることがない。このことにより、候補かごが割当かごから遠い場合には割当変更されることを防止でき、割当変更に伴うエレベータの利用者の移動距離を低減することができる。また、割当変更された候補かごに利用者が乗り遅れることを防止できるとともに、割当変更に伴って利用者が慌てて移動して転倒する等の危険性を低減することもできる。この結果、エレベータの利用者の利便性を向上させることができる。
【図面の簡単な説明】
【００１５】
【図１】図１は、本発明の第１の実施の形態におけるエレベータの群管理制御装置の全体構成を示す図である。
【図２】図２は、本発明の第１の実施の形態におけるエレベータの群管理制御装置の制御方法を示すフローチャートである。
【図３】図３は、本発明の第２の実施の形態におけるエレベータの群管理制御装置の制御方法を示すフローチャートである。
【図４】図４は、本発明の第３の実施の形態におけるエレベータの群管理制御装置の全体構成を示す図である。
【図５】図５は、本発明の第３の実施の形態におけるエレベータの群管理制御装置の制御方法を示すフローチャートである。
【図６】図６は、本発明の第４の実施の形態におけるエレベータの群管理制御装置の全体構成を示す図である。
【図７】図７は、本発明の第４の実施の形態におけるエレベータの群管理制御装置の制御方法を示すフローチャートである。
【図８】図８は、本発明の第５の実施の形態において、エレベータのかごの平面配置を示す図である。
【図９】図９は、本発明の第５の実施の形態におけるエレベータの群管理制御装置の全体構成を示す図である。
【図１０】図１０は、本発明の第５の実施の形態におけるエレベータの群管理制御装置の制御方法を示すフローチャートである。
【発明を実施するための形態】
【００１６】
（第１の実施の形態）
まず、図１および図２を用いて、本発明の第１の実施の形態におけるエレベータの群管理制御装置１０について説明する。ここで、エレベータの群管理制御装置１０は、汎用のコンピュータからなり、複数のエレベータ１ａ〜１ｄのかご２ａ〜２ｄを群管理制御するためのものであり、例えば、複数のエレベータ１ａ〜１ｄのかご２ａ〜２ｄのうち、乗場呼びに対して最適な一のかごを選定して、当該かごを乗場呼びが行われた乗場（階床）８に応答させるなどの制御を行うものである。
【００１７】
ところで、各エレベータ１ａ〜１ｄは、図１に示すように、かご２ａ〜２ｄと、かご２ａ〜２ｄを制御する単体制御手段３ａ〜３ｄと、各乗場９に設けられ、乗場呼びに応答するかご２ａ〜２ｄを予報する応答予報装置４ａ〜４ｄと、を有している。このうち単体制御手段３ａ〜３ｄは、かご２ａ〜２ｄの昇降、応答予報装置４ａ〜４ｄの制御、かごドア５ａ〜５ｄおよび乗場ドア６ａ〜６ｄの開閉制御など、対応するエレベータの運転制御を行うようになっている。そして、各単体制御手段３ａ〜３ｄは、エレベータの群管理制御装置１０により制御されるようになっている。なお、本実施の形態においては、各エレベータ１ａ〜１ｄのかご２ａ〜２ｄは、平面視で、乗場９に対して一方の側に、列状に配置されている。また、各乗場９には、エレベータの一般利用者が一般用乗場呼びを行うための複数の一般用呼び登録装置（例えば、一般用呼び釦）７ａ〜７ｃと、車椅子利用者が車椅子用乗場呼びを行うための複数の車椅子用呼び登録装置（例えば、車椅子用呼び釦）８ａ〜８ｃと、が設けられている。各一般用呼び釦７ａ〜７ｃおよび各車椅子用呼び釦８ａ〜８ｃは、かごドア６ａ〜６ｄの間に配置されている。
【００１８】
エレベータの群管理制御装置１０は、図１に示すように、乗場呼びに対して、一のかごを割当かごとして割り当てる割当手段１２と、割当手段１２により割当かごを割り当てた後の各エレベータ１ａ〜１ｄの運転状況に基づいて、乗場呼びに対して、割当かごより適した他の一のかごを候補かごとして選定する候補かご選定手段１４と、割当かごと候補かごとの平面距離に基づいて、乗場呼びに対して、割当かごから候補かごに割当変更するか否かを決定する割当変更決定手段１７と、を備えている。
【００１９】
このうち、割当手段１２には、乗場呼び認識手段１１を介して、上述した一般用呼び釦７ａ〜７ｃおよび車椅子用呼び釦８ａ〜８ｃが接続されている。すなわち、乗場呼び認識手段１１は、一般用呼び釦７ａ〜７ｃまたは車椅子用呼び釦８ａ〜８ｃから送信される信号に基づいて、乗場呼びが行われたことを認識する。そして、割当手段１２は、乗場呼び認識手段１１により認識された乗場呼びに対して、一のかごを割当かごとして選定して割り当てるようになっている。具体的には、割当手段１２は、現時点での各エレベータ１ａ〜１ｄの運転状況（例えば、かご２ａ〜２ｄの昇降方向の位置、乗場呼びの有無、かご２ａ〜２ｄ内での行き先階登録の有無など）に基づいて、複数のエレベータ１ａ〜１ｄのかご２ａ〜２ｄの輸送効率の向上や、各かご２ａ〜２ｄの乗場呼びに対する応答の迅速化を図り、複数のエレベータ１ａ〜１ｄのかご２ａ〜２ｄの運転効率を全体として向上させるように、乗場呼びに応答すべきかごとして、最適な一のかごを割り当てる。
【００２０】
割当手段１２には、上述した各エレベータ１ａ〜１ｄの単体制御手段３ａ〜３ｄが接続されており、割当手段１２は、乗場呼びに対して割当かごが割り当てられた後、当該割当かごに対応する単体制御手段に、当該割当かごを乗場呼びに応答させる旨の指令を発信する。また、割当手段１２は、応答予報手段１３に割当かごの情報を伝送し、応答予報手段１３は、割当かごに対応する応答予報装置を、対応する単体制御手段を介して制御し、当該応答予報装置を、例えば点灯させる等して、割当かごを利用者に報知するようになっている。
【００２１】
ところで、割当手段１２により乗場呼びに対して割当かごが割り当てられた後、当該割当かごが当該乗場呼びに応答するまでの間、各ドア５ａ〜５ｄ、６ａ〜６ｄの開時間や、その後に行われた乗場呼び、または、かご２ａ〜２ｄ内で行われた行き先階登録などにより、各かご２ａ〜２ｄの運転状況は時間とともに変化することが多い。このため、各単体制御手段３ａ〜３ｄは、割当かごが乗場呼びに応答するまでの間、ドア５ａ〜５ｄ、６ａ〜６ｄの開時間、その後に行われた乗場呼びまたは行き先階登録などのエレベータ１ａ〜１ｄの運転状況を候補かご選定手段１４に信号として送信し、候補かご選定手段１４は、各単体制御手段３ａ〜３ｄから送信されたエレベータ１ａ〜１ｄの運転状況を考慮して、割当かごより適した候補かごを選定するようになっている。この際、候補かご選定手段１４は、複数のエレベータ１ａ〜１ｄのかご２ａ〜２ｄの輸送効率の向上や、各かご２ａ〜２ｄの乗場呼びに対する応答の迅速化を図り、複数のエレベータ１ａ〜１ｄのかご２ａ〜２ｄの運転効率を全体として向上させるように、その後の運転状況に基づいて乗場呼びに対して、割当かごより適した他の一のかごを選定する。
【００２２】
また、エレベータの群管理制御装置１０は、各々のかご２ａ〜２ｄの間の平面距離を認識する平面距離認識手段１５と、平面距離認識手段１５により認識された各々のかご２ａ〜２ｄの間の平面距離に基づいて、割当かごから所定の平面距離以内に位置するかごを制限かごとして選定し、割当変更可能なかごを当該制限かごに制限する制限かご選定手段１６と、を更に備えている。そして、割当変更決定手段１７は、制限かご選定手段１６により選定された制限かごを考慮して、乗場呼びに対する割当変更の可否を決定する。すなわち、割当変更決定手段１７は、候補かごが制限かごに含まれる場合、割当かごから候補かごへの割当変更を決定し、候補かごが制限かごに含まれない場合、乗場呼びに対して、割当変更することなく、割当かごに維持することを決定する。このようにして、候補かごが、割当かごから所定の平面距離以内に位置する場合に、割当かごから候補かごに割当変更が行われ、候補かごが割当かごから所定の平面距離を超える場合（候補かごが割当かごから離れて位置する場合）に、割当かごから候補かごへの割当変更は行われないようになっている。
【００２３】
また、割当変更決定手段１７は、割当かごから候補かごへの割当変更を決定した場合には、当該割当かごに対応する単体制御手段に、乗場呼びへの応答を中止する旨の指令を発信するとともに、当該候補かごに対応する単体制御手段に、当該候補かごを乗場呼びに応答させる旨の指令を発信する。なお、割当変更決定手段１７は、乗場呼びに応答すべきかごの割当変更をしない場合には、各単体制御手段に指令を発信することはない。さらに、割当変更決定手段１７は、乗場呼びに応答すべきかごが割当変更された後、割当かごに対応する応答予報装置を、対応する単体制御手段を介して制御し、例えば点灯していた当該応答予報装置を消灯させるとともに、候補かごに対応する応答予報装置を、対応する単体制御手段を介して制御し、例えば当該応答予報装置を点灯させる等して、利用者に乗場呼びに応答するかごが割当変更されたことを報知する。
【００２４】
次に、図１および図２を用いて、このような構成からなる本実施の形態の作用について説明する。ここでは、一例として、エレベータの利用者が、乗場９に設けられた一般用乗場釦を押下した場合について説明する。
【００２５】
まず、エレベータの利用者により一般用乗場釦が押下されて（ステップＳ１）、一般用乗場呼び（以下、本実施の形態では、単に乗場呼びと記す）が行われたことが、乗場呼び認識手段１１により認識される（ステップＳ２）。続いて、割当手段１２により、乗場呼び認識手段１１により認識された乗場呼びに対して、割当かご（ここでは、一例として図１に２ｂで示すかご）が選定されて割り当てられる（ステップＳ３）。
【００２６】
次に、割当かご２ｂに対応する単体制御手段３ｂは、当該割当かご２ｂの乗場呼びへの応答を実行する（ステップＳ４）。このことにより、割当かご２ｂは、乗場呼びが行われた乗場９に向けて昇降する。また、応答予報手段１３は、割当かご２ｂに対応する応答予報装置４ｂを例えば点灯させる等して、割当かご２ｂを利用者に報知する（ステップＳ４）。このことにより、利用者は、割当かご２ｂに対応する乗場部分９ｂに向かって移動することができる。
【００２７】
続いて、平面距離認識手段１５により認識された各々のかご２ａ〜２ｄの間の平面距離に基づいて、割当かご２ｂから割当変更可能なかごを制限するための制限かごが選定される（ステップＳ５）。具体的には、制限かご選定手段１６により、割当かご２ｂから所定の平面距離以内に位置するかごが、制限かごとして選定される。
【００２８】
一方、各単体制御手段３ａ〜３ｄにより、割当かご２ｂが割り当てられた後のエレベータ１ａ〜１ｄの運転状況が候補かご選定手段１４に信号として送信され、候補かご選定手段１４により、割当かご２ｂが割り当てられた後のエレベータ１ａ〜１ｄの運転状況に基づいて、乗場呼びに対して、割当かご２ｂより適した候補かごが選定される（ステップＳ６）。
【００２９】
その後、割当かご２ｂと候補かごとの平面距離に基づいて、乗場呼びに応答すべきかごを、割当かご２ｂから候補かごに割当変更するか否かが決定される。この場合、まず、割当変更決定手段１７により、候補かごが制限かごに含まれるか否かが判断され（ステップＳ７）、続いて、候補かごが制限かごに含まれると判断された場合、割当かご２ｂから候補かごへの割当変更が決定される（ステップＳ８）。その後、割当かご２ｂに対応する単体制御手段に、乗場呼びへの応答を中止する旨の指令が発信されるとともに、候補かごに対応する単体制御手段３ｂに、当該候補かごを乗場呼びに応答させる旨の指令が発信される。なお、候補かごが制限かごに含まれない場合には、割当変更決定手段１７は、乗場呼びに応答すべきかごを、割当変更することなく、割当かご２ｂに維持することを決定する。
【００３０】
例えば、制限かごとしてかご２ａおよび２ｃが選定され、候補かごとしてかご２ｃが選定された場合、候補かご２ｃは制限かご２ａ、２ｃに含まれるため、乗場呼びに応答すべきかごが、割当かご２ｂから候補かご２ｃに割当変更される。また、制限かごとしてかご２ａおよび２ｃが選定され、候補かごとしてかご２ｄが選定された場合、候補かご２ｄは制限かご２ａ、２ｃに含まれないため、乗場呼びに応答すべきかごが、割当変更されることなく、割当かご２ｂに維持される。
【００３１】
次に、割当かご２ｂを候補かご（例えば、２ｃ）に割当変更した場合、割当かご２ｂに対応する単体制御手段３ｂは、当該割当かご２ｂの乗場呼びへの応答を中止するとともに、候補かご２ｃに対応する単体制御手段３ｃは、当該候補かご２ｃの乗場呼びへの応答を実行する（ステップＳ９）。このことにより、当該候補かご２ｃは、乗場呼びが行われた乗場９に向けて昇降する。また、割当変更決定手段１７は、割当かご２ｂに対応する点灯していた応答予報装置４ｂを消灯するとともに、候補かご２ｃに対応する応答予報装置４ｃを、例えば点灯させる等して、利用者に割当変更を報知する（ステップＳ９）。このことにより、当該利用者は、乗場呼びに応答するかごが、割当かご２ｂから候補かご２ｃに割当変更されたことを認識し、割当かご２ｂに対応する乗場部分９ｂから、候補かご２ｃに対応する乗場部分９ｃに向かって移動することができる。
【００３２】
このように本実施の形態によれば、割当かごが割り当てられた後のエレベータ１ａ〜１ｄの運転状況に基づいて、乗場呼びに対して割当かごより適した他のかごが候補かごとして選定され、割当かごと候補かごとの平面距離に基づいて、乗場呼びに対して、割当かごから候補かごに割当変更されるか否かが決定される。すなわち、候補かごが、割当かごから所定の平面距離以内に位置する場合に、割当かごから候補かごに割当変更が行われ、候補かごが割当かごから所定の平面距離を超える場合に、乗場呼びに対して、割当変更されることなく、割当かごが維持される。このことにより、候補かごが割当かごから遠い場合には割当変更されることを防止でき、割当変更に伴う利用者の移動距離を低減することができる。また、割当変更された候補かごに利用者が乗り遅れることを防止できるとともに、割当変更に伴って利用者が慌てて移動して転倒する等の危険性を低減することもできる。この結果、エレベータの利用者の利便性を向上させることができる。
【００３３】
（第２の実施の形態）
次に、図３により、本発明の第２の実施の形態におけるエレベータの群管理制御装置について説明する。
【００３４】
図３に示す第２の実施の形態においては、割当変更決定手段が、一般用乗場呼びが認識された場合、割当かごと候補かごとの平面距離とは無関係に、割当かごから候補かごへの割当変更を決定する点が主に異なり、他の構成は、図１および図２に示す第１の実施の形態と略同一である。なお、図３において、図１および図２に示す第１の実施の形態と同一部分には同一符号を付して詳細な説明は省略する。
【００３５】
本実施の形態においては、乗場呼び認識手段１１は、一般用呼び釦７ａ〜７ｃまたは車椅子用呼び釦８ａ〜８ｃから送信される信号に基づいて、認識した乗場呼びが、一般用呼び釦７ａ〜７ｃにより行われた一般用乗場呼びであるか、または、車椅子用呼び釦８ａ〜８ｃにより行われた車椅子用乗場呼びであるかを認識するように構成されている。
【００３６】
割当変更決定手段１７は、乗場呼び認識手段１１により認識された乗場呼びの種別に応じて、乗場呼びに応答すべきかごの割当変更の可否を決定する。すなわち、割当変更決定手段１７は、乗場呼び認識手段１１により車椅子用乗場呼びが認識された場合、割当かごと候補かごとの平面距離に基づいて、車椅子用乗場呼びに対して、割当かごから候補かごに割当変更するか否かを決定する。具体的には、割当変更決定手段１７は、候補かごが制限かごに含まれる場合、割当かごから候補かごへの割当変更を決定し、候補かごが制限かごに含まれない場合、車椅子用乗場呼びに対して、割当変更することなく、割当かごに維持することを決定する。
【００３７】
また、割当変更決定手段１７は、乗場呼び認識手段１１により一般用乗場呼びが認識された場合、割当かごと候補かごとの平面距離とは無関係に、一般用乗場呼びに対して、割当かごから候補かごへの割当変更を決定する。この場合、候補かごが制限かごに含まれるか否かに関わることなく、割当変更が行われる。
【００３８】
本実施の形態においては、図３に示すように、制限かごの選定（ステップＳ５）と候補かごの選定（ステップＳ６）の後、乗場呼び認識手段１１により認識された乗場呼びが、一般用乗場呼びであるか、または、車椅子用乗場呼びであるかが、割当変更決定手段１７により判断される（ステップＳ１１）。続いて、乗場呼び認識手段１１が車椅子用乗場呼びであると認識したと判断した場合、割当かご（例えば、２ｂ）と候補かごとの平面距離に基づいて、当該車椅子用乗場呼びに対して、割当かご２ｂから候補かごに割当変更するか否かが決定される。この場合、まず、割当変更決定手段１７により、候補かごが制限かごに含まれるか否かが判断され（ステップＳ７）、続いて、候補かごが制限かごに含まれると判断された場合、割当かご２ｂから候補かごへの割当変更が決定される（ステップＳ８）。また、割当変更決定手段１７は、候補かごが制限かごに含まれないと判断した場合、当該乗場呼びに対して、割当変更することなく、割当かご２ｂへの維持を決定する。
【００３９】
また、ステップＳ１１において、割当変更決定手段１７は、乗場呼び認識手段１１が一般用乗場呼びを認識した場合、割当かご２ｂと候補かごとの平面距離とは無関係に、割当かご２ｂから候補かごへの割当変更を決定する（ステップＳ８）。
【００４０】
例えば、制限かごとしてかご２ａおよび２ｃが選定され、候補かごとして、制限かご２ａ、２ｃに含まれないかご２ｄが選定された際、車椅子用乗場呼びが行われていた場合には、割当変更は行われることなく、車椅子用乗場呼びに対して、割当かご２ｂが維持されるが、一般用乗場呼びが行われていた場合には、割当かご２ｂから候補かご２ｄに割当変更が行われる。
【００４１】
このように本実施の形態によれば、エレベータの一般利用者に比べて移動が困難であると予想される車椅子利用者が行った車椅子用乗場呼びに応答すべきかごが、割当かごから候補かごに割当変更される際、候補かごが割当かごから遠い場合には割当変更されることを防止できる。このことにより、割当変更に伴う車椅子利用者の移動距離を低減することができる。また、割当変更された候補かごに車椅子利用者が乗り遅れることを防止できるとともに、割当変更に伴って車椅子利用者が慌てて移動して転倒する等の危険性を低減することもできる。
【００４２】
一方、車椅子利用者に比べて移動に支障がないと予想される一般利用者が行った一般用乗場呼びに対して、割当かごと候補かごとの平面距離とは無関係に、割当かごから候補かごへ割当変更が行われる。このことにより、割当かごが割り当てられた後の各エレベータ１ａ〜１ｄの運転状況に基づいて、一般用乗場呼びに対して、割当かごより適した候補かごを割り当てることができる。このため、複数のエレベータ１ａ〜１ｄのかご２ａ〜２ｄの輸送効率の向上や、各かご２ａ〜２ｄの乗場呼びに対する応答の迅速化を図ることができ、エレベータの運転効率を全体として向上させることができる。
【００４３】
（第３の実施の形態）
次に、図４および図５により、本発明の第３の実施の形態におけるエレベータの群管理制御装置について説明する。
【００４４】
図４および図５に示す第３の実施の形態においては、乗場呼びが行われた乗場に候補かごが到着するまでの予測到着時間が所定時間を超える場合、割当かごと候補かごとの平面距離とは無関係に、割当かごから候補かごへ割当変更する点が主に異なり、他の構成は、図１および図２に示す第１の実施の形態と略同一である。なお、図４および図５において、図１および図２に示す第１の実施の形態と同一部分には同一符号を付して詳細な説明は省略する。
【００４５】
図４に示す本実施の形態においては、エレベータの群管理制御装置１０は、候補かごが、乗場呼びが行われたエレベータの乗場９に到着するまでの予測到着時間を計算する到着時間計算手段２１を更に備えている。
【００４６】
割当変更決定手段１７は、乗場呼びが行われた乗場９に候補かごが到着するまでの予測到着時間に基づいて、乗場呼びに応答すべきかごの割当変更の可否を決定する。すなわち、割当変更決定手段１７は、到着時間計算手段２１により計算された候補かごの予測到着時間が所定時間以内である場合、割当かごと候補かごとの平面距離に基づいて、乗場呼びに対して、割当かごから候補かごに割当変更するか否かを決定する。具体的には割当変更決定手段１７は、候補かごが制限かごに含まれる場合、割当かごから候補かごに割当変更することを決定し、候補かごが制限かごに含まれない場合、乗場呼びに対して、割当変更することなく、割当かごに維持することを決定する。
【００４７】
また、割当変更決定手段１７は、到着時間計算手段２１により計算された候補かごの予測到着時間が所定時間を超える場合、割当かごと候補かごとの平面距離とは無関係に、乗場呼びに対して、割当かごから候補かごへの割当変更を決定する。この場合、候補かごが制限かごに含まれるか否かに関わることなく、割当変更が行われる。
【００４８】
本実施の形態においては、図５に示すように、制限かごの選定（ステップＳ５）と候補かごの選定（ステップＳ６）の後、到着時間計算手段２１により計算された候補かごの予測到着時間が所定時間以内であるか否かが、割当変更決定手段１７により判断される（ステップＳ２１）。続いて、候補かごの予測到着時間が所定時間以内であると判断された場合、割当かご（例えば、２ｂ）と候補かごとの平面距離に基づいて、乗場呼びに対して、割当かご２ｂから候補かごに割当変更するか否かが決定される。この場合、まず、割当変更決定手段１７により、候補かごが制限かごに含まれるか否かが判断され（ステップＳ７）、続いて、候補かごが制限かごに含まれると判断された場合、割当かご２ｂから候補かごへの割当変更が決定される（ステップＳ８）。また、割当変更決定手段１７は、候補かごが制限かごに含まれないと判断した場合、当該乗場呼びに対して、割当変更することなく、割当かご２ｂへの維持を決定する。
【００４９】
また、ステップＳ２１において、割当変更決定手段１７は、候補かごの予測到着時間が所定時間を超えると判断した場合、割当かご２ｂと候補かごとの平面距離とは無関係に、割当かご２ｂから候補かごへの割当変更を決定する（ステップＳ８）。
【００５０】
例えば、制限かごとしてかご２ａおよび２ｃが選定され、候補かごとして、制限かご２ａ、２ｃに含まれないかご２ｄが選定された際、候補かご２ｄの予測到着時間が所定時間以内である場合には、割当変更は行われることなく、乗場呼びに対して、割当かご２ｂが維持されるが、候補かご２ｄの予測到着時間が所定時間を超える場合には、割当かご２ｂから候補かご２ｄに割当変更が行われる。
【００５１】
このように本実施の形態によれば、乗場呼びが行われた乗場９に、選定された候補かごが到着するまでの予測到着時間が所定時間以内である場合、乗場呼びに対して、割当かごから候補かごに割当変更する際、候補かごが割当かごから遠い場合には割当変更されることを防止できる。このことにより、割当変更に伴う利用者の移動距離を低減することができる。また、割当変更された候補かごに利用者が乗り遅れることを防止できるとともに、割当変更に伴って利用者が慌てて移動して転倒する等の危険性を低減することもできる。
【００５２】
一方、選定された候補かごが、乗場呼びが行われた乗場９に到着するまでの予測到着時間が所定時間を超える場合、乗場呼びに対して、割当かごと候補かごとの平面距離とは無関係に、割当かごから候補かごへ割当変更される。このことにより、割当かごが割り当てられた後の各エレベータ１ａ〜１ｄの運転状況に基づいて、乗場呼びに対して、割当かごより適した候補かごを割り当てることができる。このため、複数のエレベータ１ａ〜１ｄのかご２ａ〜２ｄの輸送効率の向上や、各かご２ａ〜２ｄの乗場呼びに対する応答の迅速化を図ることができ、エレベータ１ａ〜１ｄの運転効率を全体として向上させることができる。また、この場合、候補かごの予測到着時間が長いため、利用者の移動時間を確保することができる。
【００５３】
（第４の実施の形態）
次に、図６および図７により、本発明の第４の実施の形態におけるエレベータの群管理制御装置について説明する。
【００５４】
図６および図７に示す第４の実施の形態においては、乗場呼びが行われた乗場に候補かごが到着するまでの予測到着時間が、割当変更される場合の利用者の予測移動時間より長い場合、割当かごと候補かごとの平面距離とは無関係に、割当かごから候補かごへ割当変更する点が主に異なり、他の構成は、図４および図５に示す第３の実施の形態と略同一である。なお、図６および図７において、図４および図５に示す第３の実施の形態と同一部分には同一符号を付して詳細な説明は省略する。
【００５５】
図６に示す本実施の形態においては、エレベータの群管理制御装置１０は、割当かごに対応する乗場部分から候補かごに対応する乗場部分までエレベータの利用者が移動する予測移動時間を計算する移動時間計算手段３１を更に備えている。
【００５６】
割当変更決定手段１７は、乗場呼びが行われた乗場９に候補かごが到着するまでの予測到着時間と、割当変更される場合の利用者の予測移動時間とに基づいて、乗場呼びに応答すべきかごの割当変更の可否を決定する。すなわち、割当変更決定手段１７は、到着時間計算手段２１により計算された候補かごの予測到着時間が、移動時間計算手段３１により計算された利用者の予測移動時間以内である場合、割当かごと候補かごとの平面距離に基づいて、乗場呼びに対して、割当かごから候補かごに割当変更するか否かを決定する。具体的には、割当変更決定手段１７は、候補かごが制限かごに含まれる場合、割当かごから候補かごに割当変更することを決定し、候補かごが制限かごに含まれない場合、乗場呼びに対して、割当変更することなく、割当かごに維持することを決定する。
【００５７】
また、割当変更決定手段１７は、到着時間計算手段２１により計算された候補かごの予測到着時間が、移動時間計算手段３１により計算された利用者の予測移動時間より長い場合、割当かごと候補かごとの平面距離とは無関係に、乗場呼びに対して、割当かごから候補かごへの割当変更を決定する。すなわち、この場合、候補かごが制限かごに含まれるか否かに関わることなく、割当変更が行われる。
【００５８】
本実施の形態においては、図７に示すように、制限かごの選定（ステップＳ５）と候補かごの選定（ステップＳ６）の後、到着時間計算手段２１により計算された候補かごの予測到着時間が、移動時間計算手段３１により計算された利用者の予測移動時間以内であるか否かが、割当変更決定手段１７により判断される（ステップＳ３１）。続いて、候補かごの予測到着時間が利用者の予測移動時間以内であると判断された場合、割当かご（例えば、２ｂ）と候補かごとの平面距離に基づいて、乗場呼びに対して、割当かごから候補かごに割当変更するか否かが決定される。この場合、まず、割当変更決定手段１７により、候補かごが制限かごに含まれるか否かが判断され（ステップＳ７）、続いて、候補かごが制限かごに含まれると判断された場合、割当かご２ｂから候補かごへの割当変更が決定される（ステップＳ８）。また、割当変更決定手段１７は、候補かごが制限かごに含まれないと判断した場合、当該乗場呼びに対して、割当変更することなく、割当かご２ｂへの維持を決定する。
【００５９】
また、ステップＳ３１において、割当変更決定手段１７は、候補かごの予測到着時間が利用者の予測移動時間を超えると判断した場合、割当かご２ｂと候補かごとの平面距離とは無関係に、割当かご２ｂから候補かごへの割当変更を決定する（ステップＳ８）。
【００６０】
例えば、制限かごとしてかご２ａおよび２ｃが選定され、候補かごとして、制限かご２ａ、２ｃに含まれないかご２ｄが選定された際、候補かご２ｄの予測到着時間が利用者の予測移動時間以内である場合には、割当変更は行われることなく、乗場呼びに対して、割当かご２ｂが維持されるが、候補かご２ｄの予測到着時間が利用者の予測移動時間を超える場合には、割当かご２ｂから候補かご２ｄに割当変更が行われる。
【００６１】
このように本実施の形態によれば、乗場呼びが行われた乗場９に、選定された候補かごが到着するまでの予測到着時間が、割当変更される場合の利用者の予測移動時間以内である場合、乗場呼びに対して、割当かごから候補かごに割当変更される際、候補かごが割当かごから遠い場合には割当変更されることを防止できる。このことにより、割当変更に伴う利用者の移動距離を低減することができる。また、割当変更された候補かごに利用者が乗り遅れることを防止できるとともに、割当変更に伴って利用者が慌てて移動して転倒する等の危険性を低減することもできる。
【００６２】
一方、選定された候補かごが、乗場呼びが行われた乗場９に到着するまでの予測到着時間が、割当変更される場合の利用者の予測移動時間を超える場合、乗場呼びに対して、割当かごと候補かごとの平面距離とは無関係に、割当かごから候補かごへ割当変更される。このことにより、割当かごが割り当てられた後の各エレベータ１ａ〜１ｄの運転状況に基づいて、乗場呼びに対して、割当かごより適した候補かごを割り当てることができる。このため、複数のエレベータ１ａ〜１ｄのかご２ａ〜２ｄの輸送効率の向上や、各かご２ａ〜２ｄの乗場呼びに対する応答の迅速化を図ることができ、エレベータ１ａ〜１ｄの運転効率を全体として向上させることができる。また、この場合、候補かごの予測到着時間が、割当変更に伴う利用者の移動時間より長いため、利用者の移動時間を確保することができる。
【００６３】
（第５の実施の形態）
次に、図８乃至図１０により、本発明の第５の実施の形態におけるエレベータの群管理制御装置について説明する。
【００６４】
図８乃至図１０に示す第５の実施の形態においては、候補かごが乗場に対して割当かごと同一の側に位置する場合、割当かごから候補かごへの割当変更を決定し、候補かごが乗場に対して割当かごの反対側に位置する場合、乗場呼びに対して、割当かごへの維持を決定する点が主に異なり、他の構成は、図１および図２に示す第１の実施の形態と略同一である。なお、図８乃至図１０において、図１および図２に示す第１の実施の形態と同一部分には同一符号を付して詳細な説明は省略する。
【００６５】
本実施の形態においては、図８に示すように、複数のエレベータのかご２ａ〜２ｈは、乗場９の両側に列状に配置されている。すなわち、かごの一方の列２ａ〜２ｄと他方の列２ｅ〜２ｈとが、乗場９を介在させて対向している。
【００６６】
本実施の形態におけるエレベータの群管理制御装置１０は、図９に示すように、複数のエレベータ１ａ〜１ｄのかご２ａ〜２ｈの平面配置を認識する平面配置認識手段４１を更に備えている。そして、制限かご選定手段１６は、平面配置認識手段４１により認識されたかご２ａ〜２ｈの平面配置に基づいて、制限かごを選定し、割当かごから割当変更可能なかごを制限するようになっている。具体的には、制限かご選定手段１６は、乗場９に対して割当かごと同一の側に位置するかごを制限かごとして選定する。
【００６７】
そして、割当変更決定手段１７は、制限かご選定手段１６により選定された制限かごを考慮して、乗場呼びに応答すべきかごの割当変更の可否を決定する。すなわち、割当変更決定手段１７は、候補かごが制限かごに含まれる場合（候補かごが乗場９に対して割当かごと同一の側に位置する場合）、乗場呼びに対して、割当かごから候補かごに割当変更することを決定する。また、割当変更決定手段１７は、候補かごが制限かごに含まれない場合（候補かごが乗場９に対して割当かごの反対側に位置する場合）、乗場呼びに対して、割当変更することなく、割当かごに維持することを決定する。このようにして、候補かごが、乗場９に対して割当かごと同一の側に位置する場合に、割当かごから候補かごに割当変更が行われ、候補かごが、乗場９に対して割当かごと反対側に位置する場合に、割当かごから候補かごへの割当変更は行われないようになっている。
【００６８】
本実施の形態においては、図１０に示すように、制限かごを選定する際、平面配置認識手段４１により認識された複数のかごの平面配置に基づいて、制限かご選定手段１６により、乗場９に対して割当かご（例えば、２ｂ）と同一の側に位置するかごが、制限かごとして選定される（ステップＳ４１）。
【００６９】
例えば、制限かごとしてかご２ａ〜２ｄが選定され、候補かごとしてかご２ｃが選定された場合、候補かご２ｃは制限かご２ａ〜２ｄに含まれるため、乗場呼びに対して、割当かご２ｂから候補かご２ｃに割当変更される。また、制限かごとしてかご２ａ〜２ｄが選定され、候補かごとしてかご２ｆが選定された場合、候補かご２ｆは制限かご２ａ〜２ｄに含まれないため、乗場呼びに対して、割当変更されることなく、割当かご２ｂが維持される。
【００７０】
このように本実施の形態によれば、割当かごが割り当てられた後のエレベータ１ａ〜１ｄの運転状況に基づいて、乗場呼びに対して割当かごより適した他のかごが候補かごとして選定され、割当かごと候補かごとの平面配置に基づいて、乗場呼びに対して、割当かごから候補かごに割当変更されるか否かが決定される。すなわち、候補かごが、乗場９に対して割当かごと同一の側に位置する場合に、割当かごから候補かごに割当変更が行われ、候補かごが乗場９に対して割当かごとは反対側に位置する場合に、乗場呼びに対して、割当変更されることなく、割当かごが維持される。このことにより、割当かごと反対側に位置する候補かごに割当変更されることを防止でき、利用者の注意負担を低減することができる。すなわち、割当かごと反対側に位置する候補かごに割当変更される場合には、利用者は振り返って割当変更を確認する必要性が生じ、利用者の注意負担が多くなるが、本実施の形態によれば、このような利用者の注意負担を低減することができる。この結果、エレベータの利用者の利便性を向上させることができる。
【００７１】
以上、本発明の実施の形態について詳細に説明してきたが、本発明によるエレベータの群管理制御装置は、上記実施の形態に何ら限定されるものではなく、本発明の趣旨を逸脱しない範囲において種々の変更が可能である。また、当然のことながら、本発明の要旨の範囲内で、これらの実施の形態を、部分的に適宜組み合わせることも可能である。
【符号の説明】
【００７２】
１ａ〜１ｄ  エレベータ
２ａ〜２ｈ  かご
３ａ〜３ｄ  単体制御手段
４ａ〜４ｄ  応答予報装置
５ａ〜５ｄ  かごドア
６ａ〜６ｄ  乗場ドア
７ａ〜７ｃ  一般用呼び釦
８ａ〜８ｃ  車椅子用呼び釦
９      乗場
９ａ〜９ｄ  乗場部分
１０    エレベータの群管理制御装置
１１    乗場呼び認識手段
１２    割当手段
１３    応答予報手段
１４    候補かご選定手段
１５    平面距離認識手段
１６    制限かご選定手段
１７    割当変更決定手段
２１    到着時間計算手段
３１    移動時間計算手段
４１    平面配置認識手段
【図１】
0005735384.tif 000002
【図２】
0005735384.tif 000003
【図３】
0005735384.tif 000004
【図４】
0005735384.tif 000005
【図５】
0005735384.tif 000006
【図６】
0005735384.tif 000007
【図７】
0005735384.tif 000008
【図８】
0005735384.tif 000009
【図９】
0005735384.tif 000010
【図１０】
0005735384.tif 000011